(57)【要約】【課題】簡単な構造で外部からの不正操作を防止でき，スライドを規制できることの確認も容易であるヒンジピンの取付構造を有する遊技機を提供すること。【解決手段】パチンコ遊技機１は，前枠（枠体）２に対してスライドヒンジピン５により開閉可能に配設してなるガラス扉（開閉扉）３を有している。軸部５１と掛止部５２とを有するスライドヒンジピン５は，ガラス扉３に取り付けてある。スライドヒンジピン５は，軸部５１の軸方向Ｌにおいて，ガラス扉３の開閉及び固定を行う固定位置５０１と，ガラス扉３の着脱を行う着脱位置５０２との間にスライドし，軸部５１の回動方向Ｒにおいて，スライドが可能になるスライド可能位置５０３と，スライドが規制されるスライド規制位置５０４との間に回動する。ガラス扉３には，スライド規制部４１３が設けてあり，前枠２には，スライドヒンジピン５の回動を防止する回動防止部２１が設けてある。【選択図】  図１
2004305584.tif 000002
【特許請求の範囲】
【請求項１】
枠体と，該枠体に対してヒンジピンにより開閉可能に配設してなる開閉扉とを有してなる遊技機において，
上記ヒンジピンは，上記開閉扉に設けてあると共に，該開閉扉が開閉する際の開閉支点となる軸部と，該軸部に突出形成した掛止部とを有しており，
上記ヒンジピンは，上記軸部の軸方向において，上記枠体と係合して該枠体に上記開閉扉を開閉可能に固定するための固定位置と，上記開閉扉と上記枠体とを着脱可能な状態にするための着脱位置との間でスライド可能であると共に，上記軸部を開閉支点とした回動方向において，上記固定位置と上記着脱位置との間でのスライドが可能になるスライド可能位置と，上記固定位置から上記着脱位置へのスライドが規制されるスライド規制位置との間で回動可能であり，
上記開閉扉には，上記スライド規制位置における上記スライドの規制を行うためのスライド規制部が設けてあり，
上記枠体には，該枠体に対して上記開閉扉を閉じた際に，上記ヒンジピンが上記スライド規制位置から上記スライド可能位置に回動することを防止する回動防止部が設けてあることを特徴とする遊技機。
【請求項２】
請求項１において，上記開閉扉には，上記ヒンジピンを取り付けるための取付板が配設されており，該取付板には，上記ヒンジピンの上記掛止部を挿入配置するための挿入配置穴が設けてあり，
該挿入配置穴は，上記ヒンジピンを上記固定位置と上記着脱位置との間でスライド可能にするためのスライド穴部と，上記ヒンジピンを上記スライド可能位置と上記スライド規制位置との間で回動可能にするための回動穴部とからなり，
上記スライド穴部と上記回動穴部とは互いに連通するよう一体的に形成されていると共に，上記スライド規制部は，上記回動穴部における内壁面により構成されていることを特徴とする遊技機。
【請求項３】
請求項１又は２において，上記枠体は上記遊技機における外枠の前面側に配設した前枠であり，上記開閉扉は上記前枠の前面側に開閉可能に配設したガラス扉であることを特徴とする遊技機。
【発明の詳細な説明】
【０００１】
【技術分野】
本発明は，パチンコ遊技機又はアレンジボール遊技機等の遊技機に関し，特に枠体に対して開閉扉を開閉可能に配設するためのヒンジピンの取付構造に関する。
【０００２】
【従来技術】
例えば，パチンコ遊技機においては，遊技領域を備えた遊技盤を取り付けた前枠の前面に，上記遊技領域が見えるようガラス板を設けて形成したガラス扉を開閉可能に配設してなる。また，ガラス扉は，メンテナンス等を考慮して上記前枠に対して着脱可能に配設されている。
そして，ガラス扉は，前枠に対して開閉及び着脱可能にするために，ヒンジピンを介して前枠に配設されており，このヒンジピンは，着脱を考慮して，その軸方向にスライド可能になっている。
【０００３】
このようなパチンコ遊技機としては，例えば，特許文献１，２に示すものがある。そして，特許文献１，２においては，遊技者等が上記ヒンジピンを外部から不正にスライド操作させて，遊技盤等に不正行為を働くことを防止するための種々の工夫がなされている。
【０００４】
【特許文献１】
特開２００２−２１９２５３号公報
【特許文献２】
特許第２７９８６１６号公報
【０００５】
【解決しようとする課題】
しかしながら，上記特許文献１においては，ガラス扉にスライド可能に設けたヒンジピンの係合部を，前枠に設けた被係合部に係合させたときにはじめてヒンジピンがスライドしない状態を形成し，外部からの不正なスライド操作を防止している。すなわち，特許文献１においては，ガラス扉を前枠に対して閉じた状態でしか，ヒンジピンがスライドしなくなる状態を形成することができない。そのため，ヒンジピンの組付を行った後に，このヒンジピンがスライドしない状態を形成できるかの確認を行うためには，常にガラス扉を前枠に閉じた状態で行う必要がある。そのため，ガラス扉にヒンジピンを組み付けた後に，組付不良等の不具合があっても，迅速な対応が困難である。
【０００６】
一方で，上記特許文献２においては，ヒンジピンをスライドさせて固定させるロック部材をガラス扉に設けており，ガラス扉だけにおいてもヒンジピンによる防犯構造を完成させることができる。そのため，ヒンジピンの組付を行った後にガラス扉だけにおいて，このヒンジピンがスライドしない状態を形成できるかの確認を行うことができる。
しかし，特許文献２においては，上記ヒンジピンのスライドの固定を行うために，新たな別部材としての上記ロック部材を設けており，部品点数が増加して，構造が複雑になる。
【０００７】
本発明は，かかる従来の問題点に鑑みてなされたもので，簡単な構造で外部からの不正操作を防止することができ，スライドを規制できることの確認も容易であるヒンジピンの取付構造を有する遊技機を提供しようとするものである。
【０００８】
【課題の解決手段】
本発明は，枠体と，該枠体に対してヒンジピンにより開閉可能に配設してなる開閉扉とを有してなる遊技機において，
上記ヒンジピンは，上記開閉扉に設けてあると共に，該開閉扉が開閉する際の開閉支点となる軸部と，該軸部に突出形成した掛止部とを有しており，
上記ヒンジピンは，上記軸部の軸方向において，上記枠体と係合して該枠体に上記開閉扉を開閉可能に固定するための固定位置と，上記開閉扉と上記枠体とを着脱可能な状態にするための着脱位置との間でスライド可能であると共に，上記軸部を開閉支点とした回動方向において，上記固定位置と上記着脱位置との間でのスライドが可能になるスライド可能位置と，上記固定位置から上記着脱位置へのスライドが規制されるスライド規制位置との間で回動可能であり，
上記開閉扉には，上記スライド規制位置における上記スライドの規制を行うためのスライド規制部が設けてあり，
上記枠体には，該枠体に対して上記開閉扉を閉じた際に，上記ヒンジピンが上記スライド規制位置から上記スライド可能位置に回動することを防止する回動防止部が設けてあることを特徴とする遊技機にある（請求項１）。
【０００９】
本発明においては，上記軸部及び掛止部を有して上記開閉扉に設けたヒンジピンを，上記固定位置と上記着脱位置とにスライド可能にしている。そのため，ヒンジピンが上記固定位置にあるときには，このヒンジピンが開閉支点を形成して開閉扉を枠体に対して開閉させることができ，また，開閉扉を枠体に固定することもできる。また，上記ヒンジピンを上記スライド可能位置において，上記固定位置から上記着脱位置にスライドさせたときには，開閉扉を枠体との間で着脱することができる。
【００１０】
さらに，上記ヒンジピンは，上記スライド可能位置から上記スライドが規制されるスライド規制位置へと回動させることができ，このスライド規制位置において上記固定位置から着脱位置へのスライドが規制される。そして，開閉扉を枠体に閉じた際には，上記ヒンジピンの掛止部に上記枠体に設けた回動防止部が対向し，この回動防止部により，ヒンジピンを上記スライド可能位置に回動させることができなくなる。そのため，外部からの不正な操作によって，ヒンジピンを着脱位置にスライドさせて，開閉扉を開けることができなくなる。
【００１１】
このように，本発明においては，従来のロック部材のように別部材を設けることなく，上記ヒンジピンを回動させることを利用した簡単な構造により，開閉扉を着脱可能に開閉及び固定させるヒンジピンの取付構造及び外部からの不正操作を防止したヒンジピンの取付構造を実現することができる。
また，上記ヒンジピンは，開閉扉に組付を行った後には，この開閉扉だけにおいて上記スライド規制位置に回動させることによって，スライドが規制される状態を形成できることを確認することができる。そのため，本発明においては，上記枠体との関係を考慮することなく，ヒンジピンのスライドが規制されることを容易に確認することができる。
【００１２】
【発明の実施の形態】
上述した本発明における好ましい実施の形態につき説明する。
上記ヒンジピンは，上記開閉扉の上端部又は下端部のいずれか一方に設けることができる。そして，上記枠体において，ヒンジピンに対応する位置には，このヒンジピンの先端部を挿入するためのピン穴を設けておく。
また，上記ヒンジピンを設けていない開閉扉の上端部又は下端部には，固定してスライドしない固定ヒンジピン又はこの固定ヒンジピンの先端部を挿入するためのピン穴のいずれか一方を設けることができる。
【００１３】
また，上記開閉扉には，上記ヒンジピンが上記固定位置に位置するよう付勢する付勢バネを設けることができる。この場合には，この付勢バネの付勢力により，上記ヒンジピンを上記固定位置に容易に維持させることができる。また，上記ヒンジピンを上記付勢バネの付勢力に抗して上記固定位置から上記着脱位置にスライドさせ，上記開閉扉を上記枠体に固定させるときには，ヒンジピンは付勢バネの付勢力により，もとの固定位置まで容易に復帰することができる。
【００１４】
また，上記開閉扉には，上記ヒンジピンを取り付けるための取付板が配設されており，該取付板には，上記ヒンジピンの上記掛止部を挿入配置するための挿入配置穴が設けてあり，該挿入配置穴は，上記ヒンジピンを上記固定位置と上記着脱位置との間でスライド可能にするためのスライド穴部と，上記ヒンジピンを上記スライド可能位置と上記スライド規制位置との間で回動可能にするための回動穴部とからなり，上記スライド穴部と上記回動穴部とは互いに連通するよう一体的に形成されていると共に，上記スライド規制部は，上記回動穴部における内壁面により構成されていることが好ましい（請求項２）。
【００１５】
この場合には，上記開閉扉に設けた取付板に上記スライド穴部及び回動穴部を有する挿入配置穴を形成した簡単な構造により，上記ヒンジピンのスライド，回動及びスライド規制の各状態を容易に実現することができる。
【００１６】
また，上記枠体は上記遊技機における外枠の前面側に配設した前枠であり，上記開閉扉は上記前枠の前面側に開閉可能に配設したガラス扉であることが好ましい（請求項３）。
この場合には，上記ヒンジピンの取付構造を上記ガラス扉に形成し，上記回動防止部を上記前枠に形成して，上記優れた作用効果を有する遊技機を実現することができる。
【００１７】
【実施例】
以下に，図面を用いて本発明の遊技機にかかる実施例につき説明する。
本例の遊技機はパチンコ遊技機１であり，パチンコ遊技機１は，図１，図２に示すごとく，枠体としての前枠２と，この前枠２に対して上下２箇所のヒンジピンとピン穴との係合により開閉可能に配設してなる開閉扉としてのガラス扉３とを有してなる。本例では，ガラス扉３の上端部に設けたヒンジピンをスライド可能なスライドヒンジピン５とし，ガラス扉３の下端部又は前枠２の下方に設けたヒンジピンをスライドしない固定した固定ヒンジピン（図示略）としている。
そして，上記スライドヒンジピン５は，ガラス扉３が開閉する際の開閉支点となる軸部５１と，この軸部５１に略直交する方向に突出形成した掛止部５２とを有している。
【００１８】
また，上記スライドヒンジピン５は，図３，図４に示すごとく，上記軸部５１の軸方向Ｌにおいて，上記前枠２と係合してこの前枠２に上記ガラス扉３を開閉可能に固定するための固定位置５０１と，上記ガラス扉３と上記前枠２とを着脱可能な状態にするための着脱位置５０２との間でスライド可能である。また，スライドヒンジピン５は，図５〜図７に示すごとく，上記軸部５１を開閉支点とした回動方向Ｒにおいて，上記固定位置５０１と上記着脱位置５０２との間でのスライドが可能になるスライド可能位置５０３と，上記固定位置５０１から上記着脱位置５０２へのスライドが規制されるスライド規制位置５０４との間で回動可能である。
【００１９】
上記ガラス扉３には，図１，図７に示すごとく，上記スライド規制位置５０４における上記スライドの規制を行うためのスライド規制部４１３が設けてある。また，上記前枠２には，図１，図６に示すごとく，この前枠２に対して上記ガラス扉３を閉じた際に，上記スライドヒンジピン５が上記スライド規制位置５０４から上記スライド可能位置５０３に回動することを防止する回動防止部２１が設けてある。
【００２０】
以下に，これを詳説する。
図６に示すごとく，本例のパチンコ遊技機１は，このパチンコ遊技機１における外枠２０と，この外枠２０の前面側に配設した上記前枠２と，この前枠２の前面側に開閉可能に配設した上記ガラス扉３とを有している。上記前枠２は，遊技領域を形成する遊技盤，パチンコ遊技を制御する各種の制御装置及び各種の電気部品を配設してなるものである。また，上記ガラス扉３は，プラスチック枠の内側にガラス板を配設してなるものである。
【００２１】
また，図４に示すごとく，上記前枠２には，上記スライドヒンジピン５の先端部を挿入するための第１ピン穴２２が形成してある。また，本例では，前枠２に上記固定ヒンジピン（図示略）が設けてあり，図２に示すごとく，ガラス扉３にこの固定ヒンジピンの先端部を挿入するための第２ピン穴３１が形成してある。そして，スライドヒンジピン５と第１ピン穴２２との係合，固定ヒンジピンと第２ピン穴３１との係合により，ガラス扉３の開閉支点を形成することができる。
【００２２】
なお，上記枠体及び開閉扉は，パチンコ遊技機１における種々の枠体とこれに着脱可能に開閉及び固定する種々の扉部材とすることができる。例えば，上記枠体は前枠２とし，上記開閉扉は遊技球を貯留するために前枠２の前面側に配設した球皿とすることもできる。この場合には，例えば，上記スライドヒンジピン５は，球皿の下端部に設けることができる。
【００２３】
図１に示すごとく，本例においては，上記スライドヒンジピン５は，上記ガラス扉３の裏面側に配設した取付板４に対して，スライド可能であると共に回動可能に取り付けてある。この取付板４は，ガラス扉３の面方向に略平行に配設されていると共に，スライドヒンジピン５の軸部５１の軸方向Ｌに沿って配設されている。
また，スライドヒンジピン５は，上記軸部５１に対して上記掛止部５２を略直角に折り曲げることにより製作されている。
【００２４】
また，図１に示すごとく，取付板４には，スライドヒンジピン５の掛止部５２を挿入配置するための挿入配置穴４１が設けてある。そして，スライドヒンジピン５の軸部５１は，取付板４の前面側に配置されており，スライドヒンジピン５の掛止部５２は，上記挿入配置穴４１を通って取付板４の前面側から裏面側に向けて突出している。
【００２５】
図１，図３，図７に示すごとく，上記挿入配置穴４１は，スライドヒンジピン５を上記固定位置５０１と上記着脱位置５０２との間でスライド可能にするためのスライド穴部４１１と，スライドヒンジピン５を上記スライド可能位置５０３と上記スライド規制位置５０４との間で回動可能にするための回動穴部４１２とからなる。また，スライド穴部４１１と回動穴部４１２とは，互いに連通するよう連続した１つの穴として一体的に形成されており，上記ガラス扉３に設けたスライド規制部４１３は，回動穴部４１２における内壁面４１３により構成されている。そして，上記スライドの規制は，スライドヒンジピン５の掛止部５２が回動穴部４１２における内壁面４１３に当接することにより行われる。
【００２６】
上記固定位置５０１とは，図１，図４，図７に示すごとく，スライドヒンジピン５の軸部５１における先端部がガラス扉３又は取付板４の上端部から突出した状態にあるときのスライドヒンジピン５のスライド位置のことをいう。また，上記着脱位置５０２とは，図３に示すごとく，上記軸部５１における先端部をガラス扉３又は取付板４の内方に引っ込める，あるいは上記軸部５１における先端部の突出量を少なくした状態にあるときのスライドヒンジピン５のスライド位置のことをいう。
【００２７】
また，上記スライド可能位置５０３とは，図１，図３，図４に示すごとく，スライドヒンジピン５の掛止部５２がガラス扉３及び取付板４の面方向に対して略直角に又は所定の角度で起立した状態にあるときのスライドヒンジピン５の回動位置のことをいう。また，上記スライド規制位置５０４とは，図６，図７に示すごとく，スライドヒンジピン５の掛止部５２がガラス扉３及び取付板４の面方向に対して所定の角度で倒れた状態にあるときのスライドヒンジピン５の回動位置のことをいう。
【００２８】
また，図１，図３，図７に示すごとく，上記回動穴部４１２は，上記固定位置５０１にあるスライドヒンジピン５を回動させたときにだけ，このスライドヒンジピン５の掛止部５２を挿入することができる位置に形成されている。そして，スライドヒンジピン５は，これが上記固定位置５０１にある状態からしか上記スライド可能位置５０３から上記スライド規制位置５０４に回動させることができなくなっている。
【００２９】
図３，図４，図７に示すごとく，上記取付板４には，スライドヒンジピン５の軸部５１の軸方向Ｌにおいて，スライドヒンジピン５のスライド位置が上記固定位置５０１に維持されるよう付勢する付勢バネ６が設けてある。そして，この付勢バネ６の付勢力により，スライドヒンジピン５は，通常上記固定位置５０１に維持されている。
【００３０】
また，図１，図４〜図６に示すごとく，上記回動防止部２１は，上記前枠２の前面側において，ガラス扉３を前枠２に閉じる際に，スライドヒンジピン５の掛止部５２に対向する位置に突出形成されている。この回動防止部２１は，ガラス扉３を前枠２に閉じた際には，上記スライドヒンジピン５の回動範囲内に位置する。そして，回動防止部２１は，スライドヒンジピン５がスライド規制位置５０４からスライド可能位置５０３に回動しようとすると，このスライドヒンジピン５の掛止部５２に当接してこの回動を防止することができる。
【００３１】
次に，上記ガラス扉３を上記スライドヒンジピン５及び固定ヒンジピンを介して上記前枠２に係合させ，この前枠２に固定する際の操作方法につき説明する。
まず，図４，図５に示すごとく，ガラス扉３を前枠２に係合させる際には，ガラス扉３の第２ピン穴３１に前枠２の固定ヒンジピンを挿入すると共に，ガラス扉３のスライドヒンジピン５の軸部５１における先端部を前枠２の第１ピン穴２２に挿入する。
【００３２】
このとき，図３に示すごとく，作業者は，上記挿入配置穴４１のスライド穴部４１１に挿入配置されたスライドヒンジピン５の掛止部５２を操作して，このスライドヒンジピン５を上記付勢バネ６による付勢力に抗して上記固定位置５０１から上記着脱位置５０２までスライドさせることができる。そして，作業者がスライドヒンジピン５の掛止部５２を放したときには，図４に示すごとく，上記付勢バネ６の付勢力により，スライドヒンジピン５は上記固定位置５０１に復帰する。
【００３３】
次いで，図６，図７に示すごとく，作業者は，ガラス扉３を前枠２に対して閉じる。このとき，ガラス扉３を閉じる操作に伴って，スライドヒンジピン５の掛止部５２が前枠２の回動防止部２１に当接して，上記挿入配置穴４１の回動穴部４１２に挿入されていき，スライドヒンジピン５が上記スライド可能位置５０３から上記スライド規制位置５０４へと回動される。このように，本例においては，ガラス扉３を閉じる操作を行うだけで，ヒンジピンをスライド可能位置５０３からスライド規制位置５０４まで回動させることができる。
【００３４】
なお，上記ガラス扉３を上記前枠２から取り外す際の操作方法については，ガラス扉３を開けた後，作業者がスライドヒンジピン５を，スライド規制位置５０４からスライド可能位置５０３に回動させ，次いで着脱位置５０２にスライドさせることにより，容易に行うことができる。
【００３５】
上記のように，スライドヒンジピン５は，上記固定位置５０１と着脱位置５０２との間でスライドさせることができるだけでなく，上記スライド可能位置５０３とスライド規制位置５０４との間で回動させることもできる。
そして，スライドヒンジピン５が固定位置５０１にあるときには，その軸部５１を開閉支点としてガラス扉３を前枠２に対して開閉させることができ，前枠２に固定することもできる。また，スライドヒンジピン５を固定位置５０１から着脱位置５０２にスライドさせたときには，ガラス扉３を前枠２との間で着脱することができる。
【００３６】
そして，ガラス扉３を前枠２に閉じて固定した際には，スライドヒンジピン５の掛止部５２に前枠２に設けた回動防止部２１が当接することにより，スライドヒンジピン５は，スライド規制位置５０４からスライド可能位置５０３に回動することができず，外部からの操作により着脱位置５０２にスライドすることができなくなる。すなわち，スライドヒンジピン５は，ガラス扉３を前枠２に対して開けない限り，着脱位置５０２にスライドすることができなくなる。
【００３７】
そのため，本例によれば，ガラス扉３を着脱可能に開閉及び固定させるスライドヒンジピン５の取付構造，及び外部からの不正操作を防止したスライドヒンジピン５の取付構造を容易に実現することができる。また，本例のスライドヒンジピン５の取付構造においては，従来のロック部材のように別部材を設けていない。そして，スライドヒンジピン５自体の回動を利用したことにより，簡単な構造で，着脱可能な開閉及び固定と不正操作の防止とを容易に実現することができる。
【００３８】
また，上記スライドヒンジピン５は，ガラス扉３に組付を行った後には，このガラス扉３だけにおいて上記スライド規制位置５０３に回動させることによって，スライドが規制される状態が形成されることを確認することができる。そのため，本例のパチンコ遊技機１においては，上記前枠２との関係を考慮することなく，スライドヒンジピン５のスライドが規制されることを容易に確認することができる。
【００３９】
また，本例のスライドヒンジピン５の取付構造は，上記スライドヒンジピン５，上記取付板４及び上記付勢バネ６のいずれもを上記ガラス扉３に取り付けてなる。そのため，スライドヒンジピン５の掛止部５２を取付板４に形成した挿入配置穴４１の回動穴部４１２に挿入配置したスライドヒンジピン５の不正操作を防止した状態は，ガラス扉３だけにおいても形成することができ，前枠２との関係を考慮することなく形成することができる。
そのため，本例によれば，ガラス扉３を前枠２に固定した際に生ずる組付誤差が，スライドヒンジピン５の取付構造に及ぼす影響を考慮しなくてもよい。そのため，スライドヒンジピン５のがたつきを少なくすることができ，その組付精度を高く維持することができる。
【図面の簡単な説明】
【図１】実施例における，ガラス扉に設けた取付板にスライドヒンジピンをスライド及び回動可能に取り付けてなるパチンコ遊技機の要部を示す斜視図。
【図２】実施例における，取付板にスライドヒンジピンをスライド及び回動可能に取り付けてなるガラス扉を裏面側から見た状態で示す裏面図。
【図３】実施例における，スライドヒンジピンを固定位置から着脱位置にスライドさせた状態のガラス扉の要部を裏面側から見た状態で示す裏面図。
【図４】実施例における，付勢バネの付勢力によりスライドヒンジピンを着脱位置から固定位置に復帰させた状態のガラス扉及び前枠の要部を側方から見た状態で示す側方断面図。
【図５】実施例における，前枠に閉じる前の状態のガラス扉及び前枠の要部を上方から見た状態で示す上方断面図。
【図６】実施例における，前枠に閉じた状態のガラス扉及び前枠の要部を上方から見た状態で示す上方断面図。
【図７】実施例における，スライドヒンジピンをスライド可能位置からスライド規制位置にスライドさせた状態のガラス扉の要部を裏面側から見た状態で示す裏面図。
【符号の説明】
１．．．パチンコ遊技機，
２．．．前枠（枠体），
２１．．．回動防止部，
３．．．ガラス扉（開閉扉），
４．．．取付板，
４１．．．挿入配置穴，
４１１．．．スライド穴部，
４１２．．．回動穴部，
４１３．．．スライド規制部（内壁面），
５．．．スライドヒンジピン，
５０１．．．固定位置，
５０２．．．着脱位置，
５０３．．．スライド可能位置，
５０４．．．スライド規制位置，
５１．．．軸部，
５２．．．掛止部，
６．．．付勢バネ，
Ｌ．．．軸方向，
Ｒ．．．回動方向，
【図１】
2004305584.tif 000003
【図２】
2004305584.tif 000004
【図３】
2004305584.tif 000005
【図４】
2004305584.tif 000006
【図５】
2004305584.tif 000007
【図６】
2004305584.tif 000008
【図７】
2004305584.tif 000009